(57)【要約】　　　（修正有）【課題】強アルカリ性廃液の中和と含有される高濃度の有機物の除去を行う際、中和時には反応性を向上するために強攪拌を要する一方、後工程では凝集固化により生成するフロック状凝集物をできるだけ大きくする必要性から、弱攪拌が必要である。これらの攪拌操作の調整は非常に困難である上、濾過分離した凝集物の含水率が高くハンドリング上不都合であった。【解決手段】偏心カム駆動で円周方向に往復させる機能を有する円筒状容器１の内周を複数分割する位置にバッフル６を装備し、該円筒状容器の下部に処理液を自動排出する電動操作弁７を設置した反応槽、該反応槽下部に該処理液を導入するよう配置され、濾過材１０を敷いた金網９を上部、濾液を貯留する受槽を下部に配置した濾過槽８、該濾過槽内の濾過液を吸引排出する吸引ポンプ１２を備えていることを特徴とする廃液処理装置。【選択図】　図１
0003100053.tif 000002
【実用新案登録請求の範囲】
【請求項１】
有機物を含有するアルカリ性廃液の処理装置において、偏芯カム駆動で円周方向に往復させる機能を有する円筒状容器の内周を複数分割する位置にバッフルを装備し、該円筒状容器の下部に処理液を自動排出する電動操作弁を設置した反応槽、該反応槽下部に該処理液を導入するよう配置され、濾過材を敷いた金網を上部、濾液を貯留する受槽を下部に配置した濾過槽、該濾過槽内の濾過液を吸引排出する吸引ポンプを備えていることを特徴とする廃液処理装置。
【考案の詳細な説明】
【技術分野】
【０００１】
本考案は主として、空調室内機洗浄、床清掃、床コート剥離処理などで発生する強アルカリ性で高濃度の有機物を含有する廃液の処理装置に関するものである。
【背景技術】
【０００２】
空調室内機洗浄、床清掃、床コート剥離処理では、洗浄効果を上げるためアルカリ性液剤を使用するため、pH12以上の強アルカリ性廃液が発生する。通常これらの廃液は50m3／日以下の少量であるため、下水道放流基準の適用外であるものの、このような、強アルカリ水を放流することは、下水処理設備運用の面で好ましいことではない。又これらの廃液にはコート剤として使用される高分子樹脂などが含まれており、そのまま放流することは、高濃度の有機物の放流につながり、環境負荷を増大させることとなり問題である。
従来、これらの問題を解決するため、廃液に酸を加えて中和するとともに、中和に伴なって溶解していた高分子樹脂が析出して生成する浮遊性物質の凝集固化を促進するために凝集剤を添加してフロック状とし、その後フロック状凝集物を分離処理していた。
例えばペール缶やバケツなどの処理容器に廃液を投入して、中和剤、凝集剤を少量ずつ溶かし入れながら、10分間程度撹拌して、pHを6.5〜7.5の中性域に調整すると共に、浮遊性物質を凝集固化させる。次いで処理後の廃液を静置してフロック状とし、このフロック状凝集物をざる等ですくい上げて分離除去する等の方法が用いられている。
【考案の開示】
【考案が解決しようとする課題】
【０００３】
上述のアルカリ性廃液処理では、中和時には反応性を向上するために強攪拌を要する一方、後工程での濾過速度の上昇と濾液中に漏れ出る凝集物を少なくするためには、凝集固化により生成するフロック状凝集物をできるだけ大きくする必要があり、そのためには弱い攪拌が必要である。従来の人手作業による方法ではこれらの攪拌操作の調整は非常に困難である上、濾過分離した凝集物の含水率が高く、その後の燃焼処分等のハンドリング上極めて不都合であった。また、中和処理、薬剤投入、攪拌、凝集物の分離除去および処理水の廃棄は人手作業にたよっており、時間と労力を要する難点があった。
本考案は上記の課題を解決しようとするものであり、強アルカリ性廃液の中和と含有される高濃度の有機物の除去を短時間に効率良く行える廃液処理装置を提供することを目的とする。
【課題を解決するための手段】
【０００４】
本考案は、アルカリ性廃液の処理装置において、偏芯カム駆動で円周方向に往復させる機能を有する円筒状容器の内周を複数分割する位置にバッフルを装備し、該円筒状容器の下部に処理液を自動排出する電動操作弁を設置した反応槽、該反応槽下部に該処理液を導入するよう配置され、濾過材を敷いた金網を上部、濾液を貯留する受槽を下部に配置した濾過槽、該濾過槽内の濾過液を吸引排出する吸引ポンプを備えていることを特徴とする廃液処理装置を提供するものである。
【考案の効果】
【０００５】
上記考案において、円筒状容器が円周方向に往復運動しており、内周にそって設置されたバッフルにより、円筒状容器内の処理廃液は円周にそって一定時間間隔で逆方向に押し流される。このため、円筒状容器内の処理廃液は一定時間間隔ごとに反転する流れを起こし、廃液中に順次投入される中和剤あるいは凝集剤との混合効果が格段に良くなる。その結果、撹拌時間を短くしても確実に中和・凝集反応が進行するようになる。
また、円筒状容器内部に攪拌羽根を設置して混合する場合のように、生成したフロック状凝集物が回転物に直接接触して引きちぎられることがないので、破壊されずに大きくなるため、次の濾過分離工程での濾過抵抗が減少し、濾過時間を飛躍的に短縮できる効果をもたらす。
また濾過材を通過し濾液中に漏れ出る凝集物も少なくなる。さらに、濾過槽に排出された処理液は、吸引ポンプの減圧吸引作用で濾過槽内が減圧された状態で濾過されるので、濾過速度が格段に速くなり、中和・凝集反応と濾過を合わせた処理時間は大幅に短縮されると共に、濾過分離された凝集物の含水率も極めて小さくなる。
よって本考案の廃液処理装置により、作業時間短縮化と省力化が図られる。
【考案を実施するための最良の形態】
【０００６】
本考案の実施形態を図面により説明する。第1図は本考案の一実施例の構成図、第2図は反応槽組立て状態の部分的拡大図の例である。
【０００７】
インバータ付き駆動モータ軸2に取り付けた偏芯カム3が回転することにより、この回転運動がコネクティングロッド4経由で駆動アーム5に伝えられ、円筒状容器1を円周方向に往復運動させる。
インバータ付き駆動モータ軸２の回転速度は、インバータにより自由に変えることができるので、攪拌効果とフロックの生成に最適となるよう円筒状容器１の円周方向往復運動の速度を調整することが可能である。
【０００８】
円筒状容器１の内面には、4分割する位置にバッフル６が設置され、底部中央に排出口を設けて、電動操作弁７が取り付けられ、電動操作弁７の下方配管は直下に設置された濾過槽８の濾過材10の表面に向けて開放されている。
【０００９】
駆動モータ軸2の起動後、設定（５〜１０分）時間後に駆動モータ軸２が停止し、同時に電動操作弁７が開くまでの一連の操作が進行するようタイマー設定してあり、設定時間の変更も可能である。
【００１０】
pH12以上の強アルカリ性のビル床清掃廃液４0リットルを容積７0リットルの円筒状容器1に入れ、自動運転を開始した後、凝集剤及び中和剤を順次添加し、ｐＨが6.5〜7.5になるまで中和・凝集処理する。
【００１１】
円筒状容器1底部中央の排出口から抜き出された中和・凝集物生成処理後の廃液は、濾過槽８の濾過材10上に流入する。濾過槽8はフロック状の凝集物を廃水と分離する機能を持ち、金網9の上に敷かれた濾過材10の上に堆積した凝集物は一連の操作終了後、濾過材10と共に取り出し廃棄物として燃焼等の処理をする。濾過材10としては、一般に普及している紙製または布製が適用可能である。
【００１２】
濾過槽8内の廃水を外部に排出するために、濾過槽8の側部に排出ホース11を取りつけ、吸引ポンプ12と接続している。吸引ポンプ12は真空式を使用することで、濾過槽8内を減圧状態に保持しながらフロック状の凝集物を濾過材10上に分離させるので、濾過速度を格段に早くでき,凝集物の含水率も下げることができる。
【００１３】
本実施例では、円筒状容器1の容積を70リットル、バッフル6の数は４としたが、これらに限定されるものではなく、処理する廃液の量により、その容積は自由に選定できる。
以上の操作によりpH12以上の強アルカリ性で高分子樹脂等の有機物を多量に含んだビル床清掃廃液は、有機物が除去された中性溶液となって、下水道放流しても、環境負荷を上げないレベルまで浄化される。
【産業上の利用可能性】
【００１４】
空調室内機洗浄廃液や床コート剥離処理廃液もビル床清掃廃液と同様に処理できる。
【図面の簡単な説明】
【００１５】
【図１】本考案の一実施形態に係る装置の説明図である。
【図２】本考案の反応槽組立て状態の部分的拡大図である。
【符号の説明】
【００１６】
1　　　円筒状容器
2　　　駆動モータ軸
3　　　偏芯カム
4　　　コネクティングロッド
5　　　駆動アーム
6　　　バッフル
7　　　電動操作弁
8　　　濾過槽
9　　　金網
10　　　濾過材
11　　　排出ホース
12　　　吸引ポンプ
【図１】
0003100053.tif 000003
【図２】
0003100053.tif 000004